(57)【要約】  本開示は、第１の電子機器及び第２の電子機器を電源に結合することにより、電源が第１の電子機器及び第２の電子機器に電流を供給するようにするコネクタを提供し、該コネクタは、第１のコネクタコンポーネント、第２のコネクタコンポーネント、第３のコネクタコンポーネント、電源ライン、第１のデータライン、及び信号切り替え回路を含み、前記電源ラインは、第１のコネクタコンポーネント、第２のコネクタコンポーネント及び第３のコネクタコンポーネントに結合され、前記信号切り替え回路は、第３のコネクタコンポーネントが電源に結合されたか否かを検出し、第３のコネクタコンポーネントが電源に結合されたことを検出していない場合、第１のコネクタコンポーネントと第２のコネクタコンポーネントが結合されるように制御し、及び、第３のコネクタコンポーネントが電源に結合されたことを検出した場合、第１のコネクタコンポーネントと第３のコネクタコンポーネントが結合されることによって、第１のデータラインを経由して第１の電子機器に電源接続メッセージを送信するように制御する、又は第２のコネクタコンポーネントと第３のコネクタコンポーネントが結合されることによって、第１のデータラインを経由して第２の電子機器に電源接続メッセージを送信するように制御するように構成されている。
2021529399.tif 000002
【特許請求の範囲】
【請求項１】
第１の電子機器及び第２の電子機器を電源に結合することにより、前記電源が前記第１の電子機器及び第２の電子機器に電流を供給するようにすることに用いられるコネクタであって、
第１の電子機器は、前記コネクタを経由して第２の電子機器に通信可能に接続され、且つ第２の電子機器に給電することができ、前記コネクタは、第１のコネクタコンポーネント、第２のコネクタコンポーネント、第３のコネクタコンポーネント、電源ライン、第１のデータライン、及び信号切り替え回路を含み、
前記第１のコネクタコンポーネントは、前記第１の電子機器に結合することに用いられ、
前記第２のコネクタコンポーネントは、前記第２の電子機器に結合することに用いられ、
前記第３のコネクタコンポーネントは、前記電源に結合することに用いられ、
前記電源ラインは、前記第１のコネクタコンポーネント、前記第２のコネクタコンポーネント、及び前記第３のコネクタコンポーネントに結合され、
前記第１のデータラインは、信号切り替え回路を経由して前記第１のコネクタコンポーネント、前記第２のコネクタコンポーネント及び前記第３のコネクタコンポーネントのうちの任意の２つを操作可能に結合することに用いられ、及び
前記信号切り替え回路は、前記第３のコネクタコンポーネントが前記電源に結合されたか否かを検出し、
前記第３のコネクタコンポーネントが前記電源に結合されたことを検出していない場合、前記第１のコネクタコンポーネントと前記第２のコネクタコンポーネントが前記第１のデータラインを経由して結合されるように制御し、及び、
前記第３のコネクタコンポーネントが前記電源に結合されたことを検出した場合、
前記第１のコネクタコンポーネントと前記第３のコネクタコンポーネントが前記第１のデータラインを経由して結合されることによって、前記第１のデータラインを経由して前記第１の電子機器に電源接続メッセージを送信するように制御する、又は
前記第２のコネクタコンポーネントと前記第３のコネクタコンポーネントが前記第１のデータラインを経由して結合されることによって、前記第１のデータラインを経由して前記第２の電子機器に電源接続メッセージを送信するように制御するように構成されており、
前記電源接続メッセージは、前記第３のコネクタコンポーネントが前記電源に結合されたことを指示することに用いられるコネクタ。
【請求項２】
第２のデータラインをさらに含み、前記第２のデータラインは、前記第１のコネクタコンポーネントと前記第２のコネクタコンポーネントを結合する、請求項１に記載のコネクタ。
【請求項３】
前記信号切り替え回路は、さらに、前記第１のデータラインを経由して前記第１の電子機器又は前記第２の電子機器に電源接続メッセージを送信した後、前記第１のコネクタコンポーネントと前記第２のコネクタコンポーネントが前記第１のデータラインを経由して結合されるように制御するように構成されている、請求項１に記載のコネクタ。
【請求項４】
前記電源接続メッセージは電源構成情報をさらに含む、請求項３に記載のコネクタ。
【請求項５】
前記電源ラインは、前記信号切り替え回路を経由して前記第３のコネクタコンポーネントに操作可能に結合され、前記信号切り替え回路は、さらに、
前記第１のデータラインを経由して前記第１の電子機器又は前記第２の電子機器に電源接続メッセージを送信した後、前記第１の電子機器が前記電源ラインを経由して前記第２の電子機器に給電する状態を取得し、及び
前記第１の電子機器が前記電源ラインを経由して前記第２の電子機器に給電することを停止することに応答して、前記第３のコネクタコンポーネントを前記電源ラインに結合することにより、前記電源が前記第１の電子機器及び前記第２の電子機器に給電するようにするように構成されている、請求項１に記載のコネクタ。
【請求項６】
前記第１のコネクタコンポーネント及び前記第２のコネクタコンポーネントのタイプが同じである、請求項１に記載のコネクタ。
【請求項７】
前記第１のコネクタコンポーネント及び前記第２のコネクタコンポーネントは、  ユニバーサルシリアルバスＴｙｐｅ−Ｃ型コネクタコンポーネント、
ユニバーサルシリアルバスライトニング型コネクタコンポーネント、
ユニバーサルシリアルバスＴｙｐｅ−Ｂ型コネクタコンポーネント、
ユニバーサルシリアルバスＴｙｐｅ−Ａ型コネクタコンポーネント、及び
ミニユニバーサルシリアルバス型コンポーネントのうちのいずれか１種である、請求項６に記載のコネクタ。
【請求項８】
前記コネクタは前記第２のコネクタコンポーネント及び前記第２の電子機器に従って取り外し不能な方式で固定される、請求項１に記載のコネクタ。
【請求項９】
前記信号切り替え回路は、前記第１のコネクタコンポーネント又は前記第２のコネクタコンポーネントに近接して配置される、請求項１〜８のいずれか１項に記載のコネクタ。
【請求項１０】
前記第１のデータライン、前記第２のデータライン及び前記電源ラインは接続ケーブルとして集積されている、請求項２に記載のコネクタ。
【請求項１１】
前記接続ケーブルは、分岐型接続ケーブルとして形成され、前記第１のコネクタコンポーネントは前記接続ケーブルの一端に位置し、前記第２のコネクタコンポーネントは前記接続ケーブルの他端に位置し、及び前記第３のコネクタコンポーネントは前記接続ケーブルの分岐端に位置する、請求項１０に記載のコネクタ。
【請求項１２】
前記第１の電子機器を収容できるハウジングをさらに含み、前記接続ケーブルは前記ハウジング上に固定され、前記第２のコネクタコンポーネントは前記ハウジングから外へ延伸する、請求項１０に記載のコネクタ。
【請求項１３】
前記信号切り替え回路は、前記接続ケーブル内に配置される、請求項１０〜１２のいずれか１項に記載のコネクタ。
【請求項１４】
前記第２の電子機器は、ウェアラブル拡張リアリティー機器又はウェアラブルバーチャルリアリティー機器である、請求項１〜８のいずれか１項に記載のコネクタ。
【請求項１５】
請求項１〜１４のいずれか一項に記載のコネクタを利用して給電制御を行う方法であって、
前記第３のコネクタコンポーネントが前記電源に結合されたか否かを検出するステップ、
前記第３のコネクタコンポーネントが前記電源に結合されたことを検出していない場合、前記第１のコネクタコンポーネントと前記第２のコネクタコンポーネントが前記第１のデータラインを経由して結合されるように制御するステップ、及び、
前記第３のコネクタコンポーネントが前記電源に結合されたことを検出した場合、
前記第１のコネクタコンポーネントと前記第３のコネクタコンポーネントが前記第１のデータラインを経由して結合されることによって、前記第１のデータラインを経由して前記第１の電子機器に電源接続メッセージを送信するように制御する、又は
前記第２のコネクタコンポーネントと前記第３のコネクタコンポーネントが前記第１のデータラインを経由して結合されることによって、前記第１のデータラインを経由して前記第２の電子機器に電源接続メッセージを送信するように制御するステップを含み、
前記電源接続メッセージは、前記第３のコネクタコンポーネントが前記電源に結合されたことを指示することに用いられる方法。
【発明の詳細な説明】
【技術分野】
【０００１】
本開示は、電子通信分野に関し、具体的には、コネクタ、及びコネクタを利用して充電制御を行う方法に関する。
【背景技術】
【０００２】
従来、コネクタを利用して２つの電子機器を接続することで、これら２つの電子機器の間でデータ伝送を行う応用シナリオが存在する。このような応用シナリオでは、データ伝送は大量の電力を消費する。一方、電子機器の一般的なコネクタのスロットの数に通常限りがある（通常１つ）ので、外部電源を利用して電子機器に給電することはできない。電子機器の電力が切れたときに、使用を停止してそれぞれのコネクタのスロットを利用して充電を行わなければならない。したがって、従来技術では、電子機器の間でデータ伝送を行うと同時に、外部電源を利用して給電を行うことを可能とするコネクタが必要とされる。
【発明の概要】
【発明が解決しようとする課題】
【０００３】
上記に鑑み、本開示は、コネクタ、及びコネクタを利用して充電制御を行う方法を提供している。該コネクタ及び方法を利用し、第３のコネクタコンポーネントを配置することにより電源にアクセスすることによって、第１の電子機器と第２の電子機器との間でデータ伝送を行うと同時に、電源を利用して第２の電子機器に対して給電を行うことを実現できる。
【課題を解決するための手段】
【０００４】
本開示の一態様によれば、第１の電子機器及び第２の電子機器を電源に結合することにより、前記電源が前記第１の電子機器及び第２の電子機器に電流を供給するようにすることに用いられるコネクタコネクタを提供し、
第１の電子機器は、前記コネクタを経由して第２の電子機器に通信可能に接続され、且つ第２の電子機器に給電することができ、前記コネクタは、第１のコネクタコンポーネント、第２のコネクタコンポーネント、第３のコネクタコンポーネント、電源ライン、第１のデータライン、及び信号切り替え回路を含み、
前記第１のコネクタコンポーネントは、前記第１の電子機器に結合することに用いられ、
前記第２のコネクタコンポーネントは、前記第２の電子機器に結合することに用いられ、
前記第３のコネクタコンポーネントは、前記電源に結合することに用いられ、
前記電源ラインは、前記第１のコネクタコンポーネント、前記第２のコネクタコンポーネント、及び前記第３のコネクタコンポーネントに結合され、
前記第１のデータラインは、信号切り替え回路を経由して前記第１のコネクタコンポーネント、前記第２のコネクタコンポーネント及び前記第３のコネクタコンポーネントのうちの任意の２つを操作可能に結合することに用いられ、及び
前記信号切り替え回路は、前記第３のコネクタコンポーネントが前記電源に結合されたか否かを検出し、
前記第３のコネクタコンポーネントが前記電源に結合されたことを検出していない場合、前記第１のコネクタコンポーネントと前記第２のコネクタコンポーネントが前記第１のデータラインを経由して結合されるように制御し、及び
前記第３のコネクタコンポーネントが前記電源に結合されたことを検出した場合、
前記第１のコネクタコンポーネントと前記第３のコネクタコンポーネントが前記第１のデータラインを経由して結合されることによって、前記第１のデータラインを経由して前記第１の電子機器に電源接続メッセージを送信するように制御する、又は
前記第２のコネクタコンポーネントと前記第３のコネクタコンポーネントが前記第１のデータラインを経由して結合されることによって、前記第１のデータラインを経由して前記第２の電子機器に電源接続メッセージを送信するように制御するように構成されている。ここで、前記電源接続メッセージは、前記第３のコネクタコンポーネントが前記電源に結合されたことを指示することに用いられる。
【０００５】
任意選択に、一例では、前記コネクタは、第２のデータラインをさらに含んでもよく、前記第２のデータラインは、前記第１のコネクタコンポーネントと前記第２のコネクタコンポーネントを結合する。
【０００６】
任意選択に、一例では、前記信号切り替え回路は、さらに、前記第１のデータラインを経由して前記第１の電子機器又は前記第２の電子機器に電源接続メッセージを送信した後、前記第１のコネクタコンポーネントと前記第２のコネクタコンポーネントが結合されるように制御するように構成されていてもよい。
【０００７】
任意選択に、一例では、前記電源接続メッセージは電源構成情報をさらに含んでもよい。
【０００８】
任意選択に、一例では、前記電源ラインは、前記信号切り替え回路を経由して前記第３のコネクタコンポーネントに操作可能に結合されてもよく、前記信号切り替え回路は、さらに、
前記第１のデータラインを経由して前記第１の電子機器又は前記第２の電子機器に電源接続メッセージを送信した後、前記第１の電子機器が前記電源ラインを経由して前記第２の電子機器に給電する状態を取得し、及び
前記第１の電子機器が前記電源ラインを経由して前記第２の電子機器に給電することを停止することに応答して、前記第３のコネクタコンポーネントを前記電源ラインに結合することにより、前記電源が前記第１の電子機器及び前記第２の電子機器に給電するようにするように構成されている。
【０００９】
任意選択に、一例では、前記第１のコネクタコンポーネント及び前記第２のコネクタコンポーネントのタイプが同じであってもよい。
【００１０】
任意選択に、一例では、前記第１のコネクタコンポーネント及び前記第２のコネクタコンポーネントは、  ユニバーサルシリアルバスＴｙｐｅ−Ｃ型コネクタコンポーネント、
ユニバーサルシリアルバスライトニング型コネクタコンポーネント、
ユニバーサルシリアルバスＴｙｐｅ−Ｂ型コネクタコンポーネント、
ユニバーサルシリアルバスＴｙｐｅ−Ａ型コネクタコンポーネント、及び
ミニユニバーサルシリアルバス型コンポーネントのうちのいずれか１種であってもよい。
【００１１】
任意選択に、一例では、前記コネクタは前記第２のコネクタコンポーネント及び前記第２の電子機器に従って取り外し不能な方式で固定されてもよい。
【００１２】
任意選択に、一例では、前記信号切り替え回路は、前記第１のコネクタコンポーネント又は前記第２のコネクタコンポーネントに近接して配置されてもよい。
【００１３】
任意選択に、一例では、前記第１のデータライン、前記第２のデータライン及び前記電源ラインは接続ケーブルとして集積されていてもよい。
【００１４】
任意選択に、一例では、前記接続ケーブルは、分岐型接続ケーブルとして形成されてもよく、前記第１のコネクタコンポーネントは前記接続ケーブルの一端に位置し、前記第２のコネクタコンポーネントは前記接続ケーブルの他端に位置し、及び前記第３のコネクタコンポーネントは前記接続ケーブルの分岐端に位置する。
【００１５】
任意選択に、一例では、前記コネクタは、前記第１の電子機器を収容できるハウジングをさらに含んでもよく、前記接続ケーブルは前記ハウジング上に固定され、前記第２のコネクタコンポーネントは前記ハウジングから外へ延伸する。
【００１６】
任意選択に、一例では、前記信号切り替え回路は、前記接続ケーブル内に配置されてもよい。
【００１７】
任意選択に、一例では、前記第２の電子機器は、ウェアラブル拡張リアリティー機器又はウェアラブルバーチャルリアリティー機器であってもよい。
【００１８】
本開示の別の態様によれば、上記のようなコネクタを利用して給電制御を行う方法をさらに提供し、この方法は、前記第３のコネクタコンポーネントが前記電源に結合されたか否かを検出するステップ、前記第３のコネクタコンポーネントが前記電源に結合されたことを検出していない場合、前記第１のコネクタコンポーネントと前記第２のコネクタコンポーネントが結合されるように制御するステップ、及び、前記第３のコネクタコンポーネントが前記電源に結合されたことを検出した場合、前記第１のコネクタコンポーネントと前記第３のコネクタコンポーネントが前記第１のデータラインを経由して結合されることによって、前記第１のデータラインを経由して前記第１の電子機器に電源接続メッセージを送信するように制御する、又は前記第２のコネクタコンポーネントと前記第３のコネクタコンポーネントが前記第１のデータラインを経由して結合されることによって、前記第１のデータラインを経由して前記第２の電子機器に電源接続メッセージを送信するように制御するステップを含む。ここで、前記電源接続メッセージは、前記第３のコネクタコンポーネントと前記電源が前記データラインを経由して結合されたことを指示することに用いられる。
【発明の効果】
【００１９】
本開示のコネクタを利用する場合、電源に結合された第３のコネクタコンポーネントを設置することにより、第１の電子機器と第２の電子機器との間でデータ伝送を行う際に電源を利用して第１の電子機器及び第２の電子機器に対して給電を行うことを実現でき、それにより、第１の電子機器及び第２の電子機器の使用時間を延ばすことができる。この他、信号切り替え回路を設置し、且つ信号切り替え回路を利用して、第１のデータラインが電源のアクセス時に第２の電子機器及び第３のコネクタコンポーネントに結合される、又は第１の電子機器及び第３のコネクタコンポーネントに結合されることにより、第２の電子機器又は第１の電子機器に電源接続メッセージを送信するように制御することによって、電源接続メッセージの伝送に専用の信号伝送ラインを設置する必要がなくなる。
【００２０】
本開示のコネクタを利用する場合、第２の電子機器に電源構成情報を伝送することによって、第２の電子機器は、アクセスされる電源が第２の電子機器に給電する能力を備えることが電源構成情報から明らかになる場合、第１の電子機器に給電停止メッセージを送信することで、第１の電子機器が第２の電子機器への給電を停止し、且つ電源状態の切り替えを行うようにすることができる。よって、第１の電子機器が第２の電子機器への給電を停止した後、第２の電子機器が正常に動作できなくなることを防止できる。
【００２１】
本開示のコネクタを利用する場合、第１のコネクタコンポーネント及び第２のコネクタコンポーネントに結合される第２のデータラインを構成することによって、電源がアクセスするときの電源接続メッセージの送信過程において第１の電子機器及び第２の電子機器が正常にデータを伝送することを可能とする。
【００２２】
本開示のコネクタを利用する場合、第１のデータラインを経由して第２の電子機器に電源接続メッセージを送信した後、第１のコネクタコンポーネントと前記第２のコネクタコンポーネントが結合されるように制御することによって、第１の電子機器及び第２の電子機器が第１のデータラインを経由してデータ伝送を行うことを可能とする。
【００２３】
本開示のコネクタを利用する場合、信号切り替え回路が第１のコネクタコンポーネント又は第２のコネクタコンポーネントに近接して配置されることによって、ユーザーが簡便に使用できるようになる。
【００２４】
以下の図面を参照することによって、本開示の内容の趣旨及び利点に対するさらなる理解を実現できる。図面では、類似のコンポーネント又は特徴は、同一の図面符号を有し得る。図面は、本発明の実施例に対するさらなる理解を提供するためのものであり、且つ明細書の一部を構成し、以下の発明を実施するための形態とともに本開示の実施例を解釈することに用いられるが、本開示の実施例に対する制限を構成しない。
【図面の簡単な説明】
【００２５】
【図１】本開示の１つの実施例に係るコネクタ、及びそれが適用される第１の電子機器及び第２の電子機器の構造模式図である。
【図２Ａ】本開示の別の一実施例に係るコネクタ、及びそれが適用される第１の電子機器及び第２の電子機器の構造模式図である。
【図２Ｂ】図２Ａに示すコネクタが第１の電子機器と第２の電子機器を接続するときの各回路の接続関係の模式図である。
【図３】本開示の別の一実施例に係るコネクタが接続第１の電子機器と第２の電子機器を接続するときの回路の接続関係の模式図である。
【図４】本開示の１つの実施例に係る、コネクタを利用して充電制御を行う方法のフローチャートである。
【発明を実施するための形態】
【００２６】
以下、例示的な実施形態を参照して本明細書で説明される主題を検討する。これらの実施形態を検討することは、当業者が本明細書で説明される主題をよりよく理解して実現するために過ぎず、特許請求の範囲に記載される保護範囲、適用性又は例を制限するものではないことを理解すべきである。本開示の内容の保護範囲を逸脱しない状況で、検討される要素の機能及び配列を変えることができる。各例では、必要に応じて、各種の過程又はコンポーネントを省略、代替又は追加することができる。また、いくつかの例に対して説明する特徴は、他の例において組み合わせることもできる。
【００２７】
本明細書で使用されるように、用語「含む」及びその変形はオープンな用語を示し、その定義は「含むが、これに制限されない」である。用語「基づく」は「少なくとも部分的に基づく」を示す。用語「１つの実施例」及び「一実施例」は、「少なくとも１つの実施例」を示す。用語「別の１つの実施例」は、「少なくとも１つの他の実施例」を示す。用語「第１の」、「第２の」などは、異なる又は同一の対象を示すことができる。以下、他の定義を含むことができ、明確なものであっても、暗黙的なものであってもよい。文脈から明記しない限り、１つの用語の定義は、明細書全体を通じて一致するものである。
【００２８】
本明細書では、用語「結合」とは、２つのコンポーネント同士が直接機械的に接続、連通又は電気的に接続される、又は中間コンポーネントを介して間接的に機械的に接続、連通又は電気的に接続されることを指す。同様に、前記結合とは、２つのコンポーネント同士が直接電気的に接続される、又は中間コンポーネントを介して間接的に電気的に接続されることを指し得る。前記電気的接続は、有線方式又は無線方式で実現できる。
【００２９】
ここで、図面と組み合わせて本開示のコネクタ及びコネクタを利用して充電制御を行う方法を説明する。
【００３０】
図１は、本開示の１つの実施例に係るコネクタ、及びそれが適用される第１の電子機器及び第２の電子機器の構造模式図である。
【００３１】
図１に示すように、コネクタ１３０は、第１の電子機器１１０と第２の電子機器１２０を結合することに用いられる。第１の電子機器１１０及び第２の電子機器がコネクタ１３０で結合された状態では、第１の電子機器１１０は、コネクタ１３０の電源ライン（図１には示されていない）を介して、それ自体の電源を利用して第２の電子機器に給電することができ、且つ第１の電子機器１１０及び第２の電子機器はコネクタ１３０のデータラインを介してデータを伝送することができる。第２の電子機器１２０自体は電源を有さなくてもよく、又は電源を有してもよい。第１の電子機器１１０は、たとえばスマートフォン、タブレットコンピュータ、デスクトップコンピュータなどの機器であってもよい。第２の電子機器１２０は、たとえばウェアラブルバーチャルリアリティー機器（たとえばＶＲグラス）、ウェアラブル拡張リアリティー機器（たとえばＡＲグラス）、スマートリストバンド、スマートフォン、表示装置などであってもよい。通常の場合、第１の電子機器１１０はマスター機器、第２の電子機器１２０はスレーブ機器であり、マスター機器はスレーブ機器にデータ（ビデオ、音声、画像など）を伝送して、スレーブ機器の各種の操作（たとえば表示操作）に用いることができる。
【００３２】
例として、第１の電子機器１１０はスマートフォンであってもよく、第２の電子機器１２０はＶＲ／ＡＲグラスであってもよい。接続ケーブル（たとえばＵＳＢケーブル）を利用してスマートフォンとＶＲ／ＡＲグラスを結合する際に、スマートフォンは接続ケーブルのデータラインを介してＶＲ／ＡＲグラスにビデオ、音声などのデータを伝送し、それによりＶＲ／ＡＲグラスにＶＲ／ＡＲ効果を表示することができる。同時に、ＶＲ／ＡＲグラスが電源を有さなければ、スマートフォンは接続ケーブルの電源ラインを介してＶＲ／ＡＲグラスに給電することができる。又は、ＶＲ／ＡＲグラスが電源を有する場合としても、そのデータ表示及びデータ処理の電力消費量が比較的大きいので、第１の電子機器を利用してそれに給電することもできる。このような場合、データ伝送及び第２の電子機器１２０のデータ表示やデータ処理操作が大量の電力を消費し、従来技術の接続ケーブルを利用する場合、外部電源を利用して給電を行うことができず、電力が切れたときに使用を中止し、且つ、第１の電子機器１１０及び／又は第２の電子機器１２０の充電が終了するまで待ってはじめて使用を継続することができる。
【００３３】
一方、図１に示すコネクタ１３０を利用する場合は、第１の電子機器１１０と第２の電子機器１２０との間でデータ伝送を行うと同時に、外部電源を利用して給電を行うことを実現できる。
【００３４】
第１の電子機器１１０及び第２の電子機器１２０は、第１の機器側コネクタ１１１及び第２の機器側コネクタ１２１を有することができる。コネクタ１３０は第１のコネクタコンポーネント１３１と第２のコネクタコンポーネント１３２を有し、それぞれ第１の機器側コネクタ１１１及び第２の機器側コネクタ１２１と嵌合して、第１の電子機器１１０及び第２の電子機器１２０にそれぞれ結合することに用いられる。一例では、第１の機器側コネクタ１１１及び第２の機器側コネクタ１２１はコネクタスロットであってもよく、第１のコネクタコンポーネント１３１及び第２のコネクタコンポーネント１３２はコネクタスロットと嵌合するコネクタプラグであってもよく、第１のコネクタコンポーネント１３１及び第２のコネクタコンポーネント１３２がそれぞれ第１の機器側コネクタ１１１及び第２の機器側コネクタ１２１に挿入されたときに、第１のコネクタコンポーネント１３１及び第２のコネクタコンポーネント１３２はそれぞれ第１の電子機器及び第２の電子機器に結合し得る。
【００３５】
コネクタ１３０は、電源に結合された第３のコネクタコンポーネント１３３をさらに含む。第３のコネクタコンポーネント１３３は電源コネクタコンポーネントと嵌合することができる。一例では、電源コネクタコンポーネントはコネクタプラグであってもよく、第３のコネクタコンポーネント１３３は電源コネクタコンポーネントと嵌合するコネクタスロットであってもよい。電源コネクタコンポーネントが第３のコネクタコンポーネントに挿入されると、電源を第３のコネクタコンポーネントに結合することができる。
【００３６】
コネクタ１３０は、第１のデータライン１３４、第２のデータライン１３６、及び信号切り替え回路１３５をさらに含む。第１のデータライン１３４は、信号切り替え回路１３５を経由して、第１のコネクタコンポーネント１３１、第２のコネクタコンポーネント１３２、及び第３のコネクタコンポーネント１３３のうちの任意の２つを操作可能に結合する。
【００３７】
第３のコネクタコンポーネント１３３が電源に結合されたことを検出していない場合、信号切り替え回路１３５は、第１のコネクタコンポーネント１３１と第２のコネクタコンポーネント１３２が第１のデータライン１３４を経由して結合されることによって、第１の電子機器１１０が第１のデータライン１３４を経由して第２の電子機器１２０とデータ伝送を行えるように制御する。このとき、第１の電子機器１１０は電源ラインを経由して第２の電子機器１２０に給電できる。
【００３８】
第３のコネクタコンポーネント１３３が電源に結合されたことを検出した場合、信号切り替え回路１３５は、第１のコネクタコンポーネント１３１と第３のコネクタコンポーネント１３３が第１のデータライン１３４を経由して結合されるように制御する。このとき、第３のコネクタコンポーネント１３３は、信号切り替え回路１３５を経由して第１の電子機器１１０に結合されることによって、第１のデータライン１３４を経由して第１の電子機器１１０に電源接続メッセージを送信することができる。電源接続メッセージは、第３のコネクタコンポーネント１３３が電源に結合されたことを指示することに用いられる。又は、信号切り替え回路１３５は、さらに、第２のコネクタコンポーネント１３２と第３のコネクタコンポーネント１３３が第１のデータライン１３４を経由して結合されることによって、第３のコネクタコンポーネント１３３が信号切り替え回路１３５を経由して第２の電子機器１２０に結合され、それにより第１のデータライン１３４を経由して第２の電子機器１２０に電源接続メッセージを送信するように制御してもよい。
【００３９】
電源接続メッセージは、電源がすでにアクセスされていることを第１の電子機器１１０又は第２の電子機器１２０に通知することに用いられる。コネクタ１３０の電源ラインが第１のコネクタコンポーネント１３１、第２のコネクタコンポーネント１３２、及び第３のコネクタコンポーネント１３３に結合されているので、電源が第３のコネクタコンポーネント１３３に結合されると、電源を利用して第２の電子機器１２０に給電することができる。第１の電子機器１１０は、電源接続メッセージを受信すると、このとき第２の電子機器への給電が不要になると判断することができ、したがって、第１の電子機器の内部電源状態を受電状態に変換することができる。よって、電源は第１の電子機器に充電できる。第２の電子機器１２０は、電源接続メッセージを受信すると、このときそれ自体に給電する電源があると判断することができ、したがって、第１の電子機器１１０に給電停止メッセージを送信することで、第２の電子機器１２０への給電を停止するように第１の電子機器１１０に通知することができる。よって、第１の電子機器は、第２の電子機器への給電を停止した後、それ自体の内部電源状態を受電状態に変換することにより、電源を利用して充電を行う。第１の電子機器１１０は、ＰＤプロトコル中の電源状態切り替え（Ｐｏｗｅｒ  Ｓｗａｐ）過程を実行することで、電源状態を受電状態に設定することができる。
【００４０】
電源ラインは、信号切り替え回路１３５を経由して第３のコネクタコンポーネント１３３に操作可能に結合してもよい。例として、信号切り替え回路中には、電源ラインと第３のコネクタコンポーネントの電源端子とのオンオフを制御することに用いられる電源スイッチが構成されてもよく、それにより、電源ラインと第３のコネクタコンポーネントとの結合又は切断が制御される。このとき、信号切り替え回路１３５は、さらに、第１のデータライン１３４を経由して第１の電子機器１１０又は第２の電子機器１２０に電源接続メッセージを送信した後、第１の電子機器１１０が電源ラインを経由して第２の電子機器１２０に給電する状態を取得するように構成されていてもよい。たとえば、信号切り替え回路１３５は、第１の電子機器と第２の電子機器を結合した電源ライン中に電流があるか否かを検出することができ、電流がない場合、第１の電子機器１１０がすでに第２の電子機器１２０への給電を停止していることを示す。次に、信号切り替え回路１３５は、第１の電子機器１１０が電源ラインを経由して第２の電子機器１２０に給電することを停止したことに応答して、第３のコネクタコンポーネント１３３の電源端子を電源ラインに結合することで、電源ラインと電源を導通し、それにより、第１の電子機器１１０及び第２の電子機器１２０に給電することもできる。
【００４１】
一例では、信号切り替え回路１３５は、さらに、第１のデータライン１３４を経由して第１の電子機器１１０又は第２の電子機器１２０に電源接続メッセージを送信した後、第１のコネクタコンポーネント１３１と第２のコネクタコンポーネント１３２が第１のデータライン１３４を経由して結合されるように制御するように構成されていてもよい。よって、第１の電子機器１１０又は第２の電子機器１２０に電源接続メッセージを送信した後、第１の電子機器１１０及び第２の電子機器１２０は、第１のデータライン１３４を利用してデータ伝送を行うことを継続できる。
【００４２】
図１に示すように、コネクタ１３０は第２のデータライン１３６をさらに有する。第２のデータライン１３６は、第１のコネクタコンポーネント１３１及び第２のコネクタコンポーネント１３２に結合され、それによって、第１の電子機器及び第２の電子機器に接続されると、第２のデータラインを経由してデータを伝送する。別の一例では、コネクタ１３０は、第２のデータライン１３６を含まなくてもよい。第２のデータライン１３６を含む場合、データ伝送は第２のデータライン１３６を利用して実現できるため、信号切り替え回路１３５は、電源接続メッセージを送信した後、第１のデータラインを第１のコネクタコンポーネント１３１及び第２のコネクタコンポーネント１３２に結合しなくてもよい。
【００４３】
図２Ａは、本開示の別の一実施例に係るコネクタ、及びそれが適用される第１の電子機器及び第２の電子機器の構造模式図である。図２Ｂは、図２Ａに示すコネクタが第１の電子機器と第２の電子機器を接続するときの各回路の接続関係の模式図である。
【００４４】
図２Ａに示すように、コネクタ２３０は、第１の電子機器２１０と第２の電子機器２２０を結合することに用いられる。
【００４５】
第１の電子機器２１０は、第１のコネクタスロット２１１を有してもよく、第２の電子機器２２０は、第２のコネクタスロット２２１を有してもよい。第１の電子機器２１０及び第２の電子機器２２０は、第１のコネクタスロット２１１及び第２のコネクタスロット２２１に結合するアダプタ回路を有してもよい。本開示の実施例では、アダプタ回路は、コネクタスロット又は接続ケーブル（コネクタスロット及びコネクタインタフェースを経由しない例において）に結合され、それにより、コネクタスロットに接続ケーブルのコネクタインタフェースが挿入されると、接続ケーブルのデータラインとアダプタ回路のデータ伝送ポートとを接続し、それにより、接続ケーブルを介して信号又はデータを伝送すると同時に、接続ケーブルの電源ラインをアダプタ回路又は電子機器の電源ラインに接続することで、電子機器に給電する。１つの実施例では、アダプタ回路は電源伝送（Ｐｏｗｅｒ  Ｄｅｌｉｖｅｒｙ、ＰＤ）プロトコルを実行することもできる。アダプタ回路は、さらに、コネクタインタフェースの挿入方向を検出して且つ判断し、且つ挿入方向に基づきデータ伝送ポートを構成することもできる。たとえば、コネクタインタフェース及びコネクタスロットは、Ｔｙｐｅ−Ｃ、ライトニング（Ｌｉｇｈｔｅｎｉｎｇ）など、正裏面の差し込みを実現し得るタイプであってもよく、このとき、アダプタ回路は、コネクタインタフェースの挿入方向に基づき、コネクタスロットのデータポートを構成することができる。アダプタ回路は、第１の電子機器及び第２の電子機器自体に対応するアダプタ回路である。たとえば、スマートフォンの場合、そのアダプタ回路は携帯電話のマスター回路の一部であってもよい。ＶＲ／ＡＲグラスの場合、アダプタ回路はその内部回路の一部であってもよい。
【００４６】
図２Ａに示すように、第１のデータライン、電源ライン、及び第２のデータライン（ある場合）は接続ケーブル２３１として集積してもよい。このとき、第１のコネクタコンポーネント２３１１及び第２のコネクタコンポーネント２３１２は、接続ケーブル２３１の両端に設置されてもよい。この他、図２Ａに示すように、接続ケーブルは分岐型ケーブルとして形成することができ、第３のコネクタコンポーネント２３２は分岐型ケーブルの分岐端として形成することができる。第３のコネクタコンポーネントは、任意のタイプのコネクタプラグであってもよく、任意のタイプのコネクタコンセントであってもよい。
【００４７】
図２Ａ及び図２Ｂでは、信号切り替え回路は給電状態検出回路２３３、給電制御回路２３４、及び信号スイッチ回路２３５を含んでもよく、それらは同一のプリント回路基板上に設置されてもよい。説明する必要があるのは、信号切り替え回路は、本開示の機能を実現できる他の回路構成方式で実現されてもよい。たとえば、給電状態検出回路及び給電制御回路は１つの回路として集積されてもよい。信号切り替え回路は、第１のコネクタコンポーネント２３１１又は第２のコネクタコンポーネント２３１２に近接して配置されてもよい。ユーザーが第１の電子機器及び第２の電子機器を使用する際に、第１の電子機器又は第２の電子機器を把持又は移動させる必要がある場合があるため、プリント回路基板を第１のコネクタコンポーネント又は第２のコネクタコンポーネントに近接して配置することにより、体積が比較的大きい又は比較的重いコネクタ上の部分を第１の電子機器又は第２の電子機器に近接させ、それにより、ユーザーが簡便に移動又は把持できる。
【００４８】
一例では、本開示のコネクタは、第１の電子機器を収容できるハウジングをさらに含んでもよく、接続ケーブルはハウジング上に固定され、第２のコネクタコンポーネントはハウジングから外へ延伸する。このとき、信号切り替え回路は接続ケーブル２３１内に配置されてもよく、さらにハウジング内に配置されてもよい。このとき、給電状態検出回路２３３が設置された位置に近い箇所に第３のコネクタコンポーネント２３２が設置されてもよい。一例では、第１の電子機器の機器側コネクタに近接するハウジングの位置の箇所に第１のコネクタコンポーネントを設置することによって、第１の電子機器をハウジング内に入れるときに、第１のコネクタコンポーネントと第１の電子機器を簡便に結合できる。第３のコネクタコンポーネントはハウジングから外へ延伸してもよく、さらにハウジング上に設置されてもよく、たとえば、ハウジングの側面に設置され得る。
【００４９】
図２Ｂに示すように、接続ケーブル２３１の第１のデータラインは、第１のデータライン部分２３１３、２３１４、２３１５を含んでもよい。第１のデータライン部分２３１３及び第１のデータライン部分２３１４は、それぞれ第１のコネクタコンポーネント２３１１及び第２のコネクタコンポーネント２３１２（図２Ｂにはコネクタコンポーネントが省略されている）に結合され、第１のデータライン部分２３１５は信号スイッチ回路２３５及び給電制御回路２３４に結合される。信号スイッチ回路２３５は、第１のデータライン部分２３１３、第１のデータライン部分２３１４、及び第１のデータライン部分２３１５の間に設置される。接続ケーブル２３１の電源ライン（図には示されていない）は、第３のコネクタコンポーネント２３２の電源端子に結合されてもよい。電源ラインは、さらに、給電制御回路２３４を経由して第３のコネクタコンポーネント２３２の電源端子に操作可能に結合されてもよい。図２Ｂに示す例では、接続ケーブル２３１の電源ラインは、電源バス（ＶＢＵＳ）を介して第３のコネクタコンポーネント２３２の電源端子に結合され、且つ電源ラインは電源バスを介して第１のコネクタコンポーネント２３１１、第２のコネクタコンポーネント２３１２、及び第３のコネクタコンポーネント２３２に結合される。
【００５０】
給電状態検出回路２３３は第３のコネクタコンポーネント２３２に結合される。給電状態検出回路２３３は、電源コネクタコンポーネントが第３のコネクタコンポーネント２３２に結合されて給電したか否かを検出するように構成されていてもよい。たとえば、給電状態検出回路２３３は、電源コネクタインタフェースがスロット形態の第３のコネクタコンポーネント２３２に挿入されたか否かを検出できる。給電状態検出回路２３３は、さらに、電源の電源構成情報、たとえば電圧、電流などのパラメータを取得するように構成されていてもよい。これらの電源構成情報は電源の給電能力を反映できる。給電状態検出回路２３３は、さらに、電源コネクタコンポーネントの挿入方向を検出し、且つ挿入方向に基づき、第３のコネクタコンポーネント２３２のデータ伝送ポートを構成するように構成されていてもよい。
【００５１】
図２Ｂを参照すると、給電制御回路２３４は、給電状態検出回路２３３及び信号スイッチ回路２３５に結合される。給電制御回路２３４のスイッチ制御信号送信ポート２３４１が信号スイッチ回路２３５のスイッチ状態制御ポート２３５４に接続され、それによって、スイッチ制御信号送信ポート２３４１を介して信号スイッチ回路２３５にスイッチ状態制御信号を送信することで信号スイッチ状態を制御する。信号スイッチ回路２３５は、第１のデータポート２３５１が第１のデータライン部分２３１３に接続され、第２のデータポート２３５２が第１のデータライン部分２３１４に接続され、第３のデータポート２３５３が給電制御回路２３４のデータ送信ポート２３４２に接続されるように配置されてもよい。よって、接続ケーブル２３１が第１の電子機器と第２の電子機器を接続する場合、信号スイッチ回路２３５の第１のデータポート２３５１、第２のデータポート２３５２及び第３のデータポート２３５３を制御することによって、それぞれ第１の電子機器２１０、第２の電子機器２２０及び給電制御回路２３４のうちの任意の２つを結合することができる。
【００５２】
図２Ｂに示すように、電源２４０が第３のコネクタコンポーネント２３２に結合されたことを検出していない場合、給電制御回路２３４はスイッチ制御信号送信ポート２３４１を介して信号スイッチ回路２３５にスイッチ制御信号を送信することで、信号スイッチ回路２３５を制御することによって第１のデータライン部分２３１３と第１のデータライン部分２３１４を結合することができる。このとき、第１のデータポート２３５１及び第２のデータポート２３５２は導通し、第１の電子機器１１０及び第２の電子機器１２０は第１のデータライン部分２３１３及び第１のデータライン部分２３１４を経由して正常なデータ伝送を行うことができる。同時に、第１の電子機器はその電源状態を給電状態に設定し、且つ接続ケーブル２３１の電源ラインを経由して第２の電子機器１２０に給電する。
【００５３】
たとえば、スマートフォン及びＶＲ／ＡＲグラスの場合、第１のコネクタコンポーネント及び第２のコネクタコンポーネントがそれぞれスマートフォン及びＶＲ／ＡＲグラスに結合された後、第３のコネクタコンポーネントが電源に結合されていなければ、スマートフォンが表示データ出力モードに入ることで、接続ケーブルを経由してＶＲ／ＡＲグラスに表示データを出力できるようにする。同時に、スマートフォンとＶＲ／ＡＲグラスとの間でＰＤプロトコルを実行することにより、スマートフォンが電源状態を給電状態に変換し、それによりＶＲ／ＡＲグラスに給電するようにすることができる。
【００５４】
電源２４０が第３のコネクタコンポーネント２３２に結合されたことを検出した場合、給電制御回路２３４は、信号スイッチ回路２３５を制御することで、第１のデータライン部分２３１４と第１のデータライン部分２３１５を結合することができ、それにより、第２の電子機器２２０を給電制御回路２３４に結合する。図２Ｂに示すように、このとき、第２のデータポート２３５２と第３のデータポート２３５３とを導通させることができる。よって、給電制御回路２３４は、第１のデータライン部分２３１４及び第１のデータライン部分２３１５を経由して電源接続メッセージを第２の電子機器２２０に送信できる。電源接続メッセージは、第２の電子機器に、それに給電する電源２４０がすでにアクセスされていることを通知することに用いられる。次に、第２の電子機器は、第１の電子機器に給電停止メッセージを送信することにより、第１の電子機器に第２の電子機器への給電を停止することを通知することができる。第１の電子機器は、給電停止メッセージを受信すると、それ自体の電源状態を受電状態に変換することで、電源を利用して充電を行うことができる。
【００５５】
この他、電源２４０が第３のコネクタコンポーネント２３２に結合されたことを検出した場合、給電制御回路２３４は、さらに、信号スイッチ回路２３５を制御することによって、第１のデータライン部分２３１３と第１のデータライン部分２３１５を結合することもでき、それによって、第１の電子機器２１０と給電制御回路２３４を結合する。図２Ｂに示すように、このとき、第１のデータポート２３５１と第３のデータポート２３５３とを導通できる。よって、給電制御回路２３４は、第１のデータライン部分２３１３及び第１のデータライン部分２３１５を経由して、電源接続メッセージを第１の電子機器２１０に送信することができる。第１の電子機器は、電源接続メッセージを受信すると、それ自体の電源状態を受電状態に変換することができる。
【００５６】
電源接続メッセージを第１の電子機器２１０又は第２の電子機器２２０に送信した後、給電制御回路２３４は、信号スイッチ回路２３５を制御することで、第１のデータライン部分２３１３と第１のデータライン部分２３１４を接続できる。よって、第１の電子機器２１０及び第２の電子機器２２０は、第１のデータラインを経由してデータ伝送を実行できる。
【００５７】
よって、第１の電子機器と第２の電子機器との間で正常なデータ伝送を行うと同時に、電源２４０を利用して第１の電子機器及び第２の電子機器に給電することができる。この他、給電制御回路２３４及び信号スイッチ回路２３５によって第１のデータラインを制御すると、メッセージ及びデータの伝送を実現でき、したがって、さらなるメッセージ伝送ラインを設置せずに、メッセージ伝送を実現できる。
【００５８】
一例では、電源接続メッセージは電源構成情報を含み得る。第２の電子機器２２０は、電源構成メッセージに基づき、第１の電子機器２１０に給電停止メッセージを送信するか否かを決定できる。第２の電子機器２２０は、電源構成情報を受信したときに、電源構成情報に基づき、電源が第２の電子機器に給電する能力を有するか否かを判断できる。たとえば、電源により供給される電圧、電流などが第２の電子機器の電源の要件を満たせるか否かを判断できる。次に、第２の電子機器２２０は、電源が第２の電子機器に給電する能力を備えるときに、第１の電子機器２１０に給電停止メッセージを送信することで、第１の電子機器が第２の電子機器への給電を停止するようにすることができる。第１の電子機器２１０は、また、電源構成情報に基づき、第２の電子機器１２０への給電を停止するか否かを決定してもよく、さらに電源構成情報に基づき、電源状態を設定してもよい。
【００５９】
第１のコネクタコンポーネント及び第２のコネクタコンポーネントのタイプは同じであってもよい。第１のコネクタコンポーネント及び第２のコネクタコンポーネントは、たとえばユニバーサルシリアルバスＴｙｐｅ−Ｃ（ＵＳＢ  Ｔｙｐｅ−Ｃ）型コネクタコンポーネント、ユニバーサルシリアルバスライトニング型コネクタコンポーネント、ユニバーサルシリアルバスＴｙｐｅ−Ｂ（ＵＳＢ  Ｔｙｐｅ−Ｂ又はＭｉｃｒｏ  ＵＳＢ−Ｂ）型コネクタコンポーネント、ユニバーサルシリアルコンポーネントＴｙｐｅ−Ａ（ＵＳＢ  Ｔｙｐｅ−Ａ又はＭｉｃｒｏ  ＵＳＢ−Ａ）型コネクタコンポーネント、及びミニユニバーサルシリアルバス（Ｍｉｎｉ  ＵＳＢ）型コンポーネントであってもよい。
【００６０】
一例では、コネクタは、第２のコネクタコンポーネント及び第２の電子機器に従って取り外し不能な方式で固定することができる。すなわち、コネクタの第２の電子機器に接続された一端が第２の電子機器に固定されてもよく、それにより、第２の電子機器と一体となる。
【００６１】
図３は、本開示の別の一実施例に係るコネクタが第１の電子機器と第２の電子機器を接続するときの回路の接続関係の模式図である。図３には、例として、給電状態検出回路３５０は、ＣＣＧ２チップに基づき実現され、第２の電子機器３２０において、第２のコネクタコンポーネントに結合することに用いられる第２のアダプタ回路は、ＣＣＧ３チップに基づき実現され、信号スイッチ回路３７０は、信号スイッチチップＵＭ７２２２に基づき実現される。給電制御回路３６０は、任意の制御デバイス、たとえばシングルチップマイクロコンピュータ、プログラマブルロジックデバイス、マイクロプロセッサー、ＦＰＧＡなどを利用して実現することができる。１つの実施例では、給電制御回路３６０は、ＵＳＢ  ｈｏｓｔ能力を有する制御デバイスに基づき実現する。以上のチップは、コネクタの実現例を詳細に説明するために挙げられるものに過ぎず、本開示の実施形態はこれらに制限されず、本開示の回路機能を実現できる任意の電子デバイスを利用して実現できる。たとえば、信号スイッチ回路３７０は、また、任意の他の信号スイッチデバイスを用いて実現してもよく、給電状態検出回路及び第２の電子機器の第２のアダプタ回路は、ＰＤプロトコル及びデータ伝送機能を実現できる任意の電子デバイスに基づき実現してもよい。この他、図３は、本開示の態様を説明するための接続関係だけを示しており、他のデバイス又は接続関係を省略している。
【００６２】
図３に示すように、電源３３０は電源コネクタコンポーネントを介して第３のコネクタコンポーネント３４０に結合できる。第３のコネクタコンポーネント３４０のデータ端子が給電状態検出回路３５０中のＣＣＧ２チップのＣＣラインに接続されることで、ＣＣＧ２に電源接続メッセージを伝送する。給電状態検出回路３５０のＩ２Ｃデータポートが、給電制御回路３６０のデータ受信ポートに接続されることで、電源接続メッセージを給電制御回路３６０に送信する。給電制御回路３６０のスイッチ制御ポートが、信号スイッチ回路３７０のスイッチ状態制御ポート［数式１］及びＳに接続されることで、信号スイッチ回路３７０のスイッチ状態を制御する。信号スイッチ回路３７０の第１のデータポートＨＳＤ１＋及びＨＳＤ１−が、第１のデータライン部分を経由して第１の電子機器３１０に接続され、第２のデータポートＨＳＤ２＋及びＨＳＤ２−が、第１のデータラインを経由して第２の電子機器の第２の電子機器３２０に接続され、第３のデータポートＤ＋及びＤ−が、給電制御回路３６０のデータ出力ポートに接続される。
【００６３】
【数１】
2021529399.tif 000003
【００６４】
給電制御回路３６０は、スイッチ状態制御ポート［数式２］及びＳにスイッチ状態制御信号を出力することによって、信号スイッチ回路３７０の状態を制御し、それにより、電源３３０のアクセスを検出していない場合、第１のデータポートＨＳＤ１＋及びＨＳＤ１−を第２のデータポートＨＳＤ２＋及びＨＳＤ２−と導通させ、電源３３０のアクセスを検出した場合、第２のデータポートＨＳＤ２＋及びＨＳＤ２−を第３のデータポートＤ＋及びＤ−と導通させ、それにより給電制御回路３６０は第１のデータラインを経由して第２の電子機器３２０に電源接続メッセージを送信することができる。給電制御回路３６０は、さらに、第１のデータポートＨＳＤ１＋及びＨＳＤ１−を第３のデータポートＤ＋及びＤ−と導通させることもでき、それにより給電制御回路３６０は第１のデータラインを経由して第１の電子機器３１０に電源接続メッセージを送信することができる。次に、第１の電子機器３１０又は第２の電子機器３２０に電源メッセージを送信した後、第２のデータポートＨＳＤ２＋及びＨＳＤ２−を第１のデータポートＨＳＤ１＋及びＨＳＤ１−と導通させる。
【００６５】
【数２】
2021529399.tif 000004
【００６６】
図３に示す例では、給電状態検出回路３５０と給電制御回路３６０との間で伝送される信号がＩ２Ｃ信号フォーマットであり、電源接続メッセージの場合、送信されるのはＵＳＢフォーマットメッセージ（たとえばＵＳＢ２．０メッセージ）である。したがって、給電制御回路３６０は、受信したＩ２ＣフォーマットメッセージをＵＳＢフォーマットメッセージに変換した後、第１のデータラインを経由して第２の電子機器３２０に送信できる。
【００６７】
図４は、本開示の１つの実施例に係る、コネクタを利用して充電制御を行う方法のフローチャートである。
【００６８】
図４に示すように、ブロック４０２及びブロック４０４では、第３のコネクタコンポーネントが電源に結合されたか否かを検出する。
【００６９】
前記第３のコネクタコンポーネントが前記電源に結合されたことを検出していない場合、ブロック４０６では、前記第１のコネクタコンポーネントと前記第２のコネクタコンポーネントが第１のデータラインを経由して結合されるように制御する。
【００７０】
第３のコネクタコンポーネントが電源に結合されたことを検出した場合、ブロック４０８では、第１のコネクタコンポーネントと第３のコネクタコンポーネントが第１のデータラインを経由して結合されることによって、第１のデータラインを経由して第１の電子機器に電源接続メッセージを送信するように制御する、又は第２のコネクタコンポーネントと第３のコネクタコンポーネントが第１のデータラインを経由して結合されることによって、第１のデータラインを経由して第２の電子機器に電源接続メッセージを送信するように制御する。ここで、電源接続メッセージは、前記第３のコネクタコンポーネントが前記電源に結合されたことを指示することに用いられる。
【００７１】
以上は、図１〜図４を参照して、本開示に係るコネクタ、及びコネクタを利用して給電制御を行う方法の実施例を説明した。本明細書における各実施例はすべてプログレッシブ方式で説明しており、各実施例同士の同一又は類似の部分については互いに参照することができる。
【００７２】
上記は、本明細書の特定実施例を説明した。他の実施例は添付特許請求の範囲の範囲内に属する。いくつかの場合、特許請求の範囲中に記載の動作又はステップは実施例における順番と異なるものに従って実行してもよく、且つ同様に所望の結果を実現できる。また、図面中に描かれた過程については、必ずしも示されている特定の順番又は連続的な順番でしか所望の結果を実現できないことが要求されるわけではない。いくつかの実施形態では、マルチタスク処理及び並行処理も可能であり、又は有利である可能性がある。
【００７３】
上記各プロセス及び各システムの構造図では、すべてのステップ及びユニットは必須なものであるわけではなく、実際のニーズに応じていくつかのステップ又はユニットを無視してもよい。各ステップの実行順番は固定のものではなく、必要に応じて決定できる。上記各実施例で説明した装置の構造は、物理的構造であってもよく、ロジック構造であってもよく、すなわち、一部のユニットは同一の物理エンティティによって実現することができ、又は、一部のユニットは複数の物理エンティティによって実現することができ、又は、複数の独立機器における一部の部材によって共同で実現することもできる。
【００７４】
本明細書全体を通じて使用される用語「例示的」とは、「例、実例又は例示として用いる」を意味するが、他の実施例よりも「好ましい」又は「長所を有する」ことを意味しない。説明した技術に対する理解を提供する目的のため、具体的な実施形態には詳細が含まれている。ただし、これらの詳細がない状況でこれらの技術を実施できる。いくつかの実例では、説明した実施例の概念を理解しにくくすることを回避するために、公知の構造及び装置はブロック図の形態で示されている。
【００７５】
以上、図面と組み合わせて、本開示の実施例の選択可能な実施形態を詳細に説明したが、本開示の実施例は上記実施形態における詳細に制限されず、本開示の実施例の技術構想の範囲内では、本開示の実施例の技術案に対して種々の簡単な変形を行うことができ、これらの簡単な変形はすべて本開示の実施例の保護範囲に属する。
【００７６】
本開示の内容の上記説明は、当業者が本開示の内容を実現又は使用できるようにするために提供されるものである。当業者にとっては、本開示の内容に対して行われた各種の修正が明らかなことであり、且つ、本開示の内容の保護範囲を逸脱しない状況下で、本明細書で定義された一般的な原理を他の変形に適用してもよい。従って、本開示の内容は、本明細書で説明した例及び設計に制限されず、本明細書で開示されている原理及び新規性の特徴に合致する最も広い範囲と一致する。
【符号の説明】
【００７７】
１１０：第１の電子機器    
１１１：第１の機器側コネクタ
１２０：第２の電子機器    
１２１：第２の機器側コネクタ
１３１：第１のコネクタコンポーネント    
１３２：第２のコネクタコンポーネント
１３３：第３のコネクタコンポーネント    
１３４：第１のデータライン
１３５：信号切り替え回路  
１３６：第２のデータライン
２１０：第１の電子機器    
２１１：第１のコネクタスロット
２２０：第２の電子機器    
２２１：第２のコネクタスロット
２３０：コネクタ   
２３１：接続ケーブル
２３１１：第１のコネクタコンポーネント  
２３１２：第２のコネクタコンポーネント
２３１３：第１のデータライン部分 
２３１４：第１のデータライン部分
２３１５：第１のデータライン部分 
２３２：第３のコネクタコンポーネント
２３３：給電状態検出回路  
２３４：給電制御回路
２３４１：スイッチ制御信号送信ポート    
２３４２：データ送信ポート
２３５：信号スイッチ回路  
２３５１：第１のデータポート
２３５２：第２のデータポート     
２３５３：第３のデータポート
２３５４：スイッチ状態制御ポート 
２４０：電源
３１０：第１の電子機器    
３２０：第２の電子機器
３３０：電源       
３４０：第３のコネクタコンポーネント
３５０：給電状態検出回路  
３６０：給電制御回路
３７０：信号スイッチ回路。
【図１】
2021529399.tif 000005
【図２Ａ】
2021529399.tif 000006
【図２Ｂ】
2021529399.tif 000007
【図３】
2021529399.tif 000008
【図４】
2021529399.tif 000009
【国際調査報告】
2021529399.tif 000010
2021529399.tif 000011
2021529399.tif 000012
2021529399.tif 000013